(57)【要約】【課題】電動工具等の電動機械からバッテリパックが意図せず脱落することを防止することができるバッテリパックを提供する。【解決手段】電動工具等の電動機械に着脱自在に取り付けられるバッテリパックであって、電動機械の爪係合部１０２に係合離脱する係合爪部５と、該係合爪部５を離脱側に移動させるために第一の位置から第二の位置まで移動させられる操作部６と、該操作部６の第二の位置側への移動を阻止するロック状態と、操作部６の第二の位置側への移動を許容するロック解除状態とを切り替え可能なロック機構と、を備えている。【選択図】図２
2017091797.tif 000002
【特許請求の範囲】
【請求項１】
電動工具等の電動機械に着脱自在に取り付けられるバッテリパックであって、
電動機械の爪係合部に係合離脱する係合爪部と、
該係合爪部を離脱側に移動させるために第一の位置から第二の位置まで移動させられる操作部と、
該操作部の第二の位置側への移動を阻止するロック状態と、操作部の第二の位置側への移動を許容するロック解除状態とを切り替え可能なロック機構と、を備えていることを特徴とするバッテリパック。
【請求項２】
電動機械への取り付け方向を前側とし、電動機械からの取り外し方向を後側としたとき、ロック機構は、ロック状態とロック解除状態とに切り替え操作するためのロック切り替え操作部をバッテリパックの後面に備えている請求項１記載のバッテリパック。
【発明の詳細な説明】
【技術分野】
【０００１】
本発明は、電動工具等の電動機械に着脱自在に取り付けられるバッテリパックに関する。
【背景技術】
【０００２】
この種のバッテリパックには、下記特許文献１，２のように、例えば電動工具からバッテリパックを取り外す際に操作される操作部を備えている。操作部を操作することによりバッテリパックと電動工具との係合状態が解除され、バッテリパックを電動工具からスライドさせて取り外すことができる。
【０００３】
しかしながら、操作部に意図せず手が触れたり、あるいは、操作部に他の物が当たったりして、操作部が作業者の意に反して移動する可能性があり、その結果、バッテリパックが電動工具から不意に脱落するおそれがある。
【先行技術文献】
【特許文献】
【０００４】
【特許文献１】特許第５０４０１１４号公報
【特許文献２】特開２００１−２２９８９５号公報
【発明の概要】
【発明が解決しようとする課題】
【０００５】
それゆえに本発明は上記従来の問題点に鑑みてなされ、電動工具等の電動機械からバッテリパックが意図せず脱落することを防止することができるバッテリパックを提供することを課題とする。
【課題を解決するための手段】
【０００６】
本発明は上記課題を解決すべくなされたものであって、本発明に係るバッテリパックは、電動工具等の電動機械に着脱自在に取り付けられるバッテリパックであって、電動機械の爪係合部に係合離脱する係合爪部と、該係合爪部を離脱側に移動させるために第一の位置から第二の位置まで移動させられる操作部と、該操作部の第二の位置側への移動を阻止するロック状態と、操作部の第二の位置側への移動を許容するロック解除状態とを切り替え可能なロック機構と、を備えていることを特徴とする。
【０００７】
該構成のバッテリパックにあっては、ロック機構をロック状態とすることで操作部は第二の位置側に移動できなくなる。従って、係合爪部は離脱側に移動せずに電動機械の爪係合部との係合状態が維持される。従って、バッテリパックが不意に電動機械から外れることが防止される。
【０００８】
特に、電動機械への取り付け方向を前側とし、電動機械からの取り外し方向を後側としたとき、ロック機構は、ロック状態とロック解除状態とに切り替え操作するためのロック切り替え操作部をバッテリパックの後面に備えていることが好ましく、バッテリパックを左右に把持して着脱する際にロック切り替え操作部に誤って手が触れることが防止される。
【発明の効果】
【０００９】
以上のように、本発明に係るバッテリパックは、操作部の第二の位置側への移動を阻止するロック状態と、操作部の第二の位置側への移動を許容するロック解除状態とを切り替え可能なロック機構を備えているので、電動工具等の電動機械からバッテリパックが意図せず脱落することを防止することができる。
【図面の簡単な説明】
【００１０】
【図１】本発明の第一の実施形態におけるバッテリパックを側面側から見た図であって、ロック解除状態を示す。
【図２】同バッテリパックの上ケースを外した状態を上面側から見た図であって、ロック解除状態を示す。
【図３】同バッテリパックの上ケースを外した状態を後面側から見た図であって、ロック解除状態を示す。
【図４】同バッテリパックのロック機構の模式図であって、（ａ）はロック解除状態を示し、（ｂ）はロック状態を示す。
【図５】本発明の第二の実施形態におけるバッテリパックを後面側から見た図であって、ロック解除状態を示す。
【図６】図５のＡ−Ａ断面図。
【図７】同バッテリパックの操作部を下側の第二の位置に操作した状態を示す図６に対応した断面図。
【図８】同バッテリパックのロック機構の模式図であって、（ａ）はロック解除状態を示し、（ｂ）は（ａ）から操作部を下側の第二の位置に操作した状態を示し、（ｃ）はロック状態を示す。
【図９】本発明の第三の実施形態におけるバッテリパックを後面側から見た図であって、ロック状態を示す。
【図１０】図９のＢ−Ｂ断面図。
【図１１】図１０に対応した要部断面図であって、（ａ）はロック解除状態であって操作部が上側の第一の位置にある状態を示し、（ｂ）は（ａ）から操作部を下側の第二の位置に操作した状態を示す。
【図１２】同バッテリパックのロック機構の模式図であって、（ａ）はロック状態を示し、（ｂ）はロック解除状態を示し、（ｃ）は（ｂ）から操作部を下側の第二の位置に操作した状態を示す。
【図１３】本発明の第四の実施形態におけるバッテリパックを上面側から見た図であって、ロック解除状態を示す。
【図１４】図１３のＣ−Ｃ断面図。
【図１５】同バッテリパックの要部を上面側から見た図であって、操作部を後側の第二の位置にスライドさせた状態を示す。
【図１６】図１４に対応した断面図であって、操作部を後側の第二の位置にスライドさせた状態を示す。
【図１７】本発明の第五の実施形態におけるバッテリパックを上面側から見た図であって、ロック解除状態を示す。
【図１８】図１７のＤ−Ｄ断面図。
【発明を実施するための形態】
【００１１】
＜第一の実施形態＞
以下、本発明の第一の実施形態にかかるバッテリパックについて図１〜図４を参酌しつつ説明する。該バッテリパックは、充電式であって、図示しない充電器に接続して充電することができる。バッテリパックは、図示しない電動工具（工具本体）に着脱自在に取り付けられる。より詳細には、電動工具は、平面のバッテリ取付面（図示省略）を有していて、そのバッテリ取付面に沿ってバッテリパックがスライドして取り付けられ、また取り外される。そのため、電動工具には、図２に二点鎖線で示しているように、バッテリ取付面と平行にスライドレール１０１が左右一対設けられ、バッテリパックは電動工具の左右一対のスライドレール１０１に案内されてスライドする。従って、バッテリパックにも電動工具の左右一対のスライドレール１０１に対応して、図示しないスライドレールが左右一対形成されている。
【００１２】
尚、図中、バッテリパックの取り付け方向を矢印Ｘ１で示し、取り外し方向を矢印Ｘ２で示す。取り付け方向と取り外し方向を合わせて着脱方向やスライド方向と称することがある。また、バッテリパックの各部の説明の都合上、前後方向、左右方向、上下方向をそれぞれ以下のように規定する。即ち、取り付け方向を前側と、取り外し方向を後側とし、合わせて前後方向とする。前後方向は、バッテリ取付面と平行である。また、バッテリ取付面と平行であって前後方向と直交する方向を左右方向とする。バッテリ取付面に対して直交する方向、即ちバッテリ取付面の法線方向を上下方向とし、バッテリ取付面と対峙する側を上側とし、それとは反対側を下側とする。但し、電動工具へのバッテリパックの取付角度は水平には限られず任意の角度であってよい。
【００１３】
バッテリパックは、全体としてボックス型であって、着脱方向に沿って長い直方体であり、その上面が電動工具のバッテリ取付面に対峙する面となる。バッテリパックは、その左右方向の寸法（幅）よりも前後方向の寸法（長さ）が長く、また、左右方向の寸法よりも上下方向の寸法（厚さ）が短い。
【００１４】
バッテリパックは、ケースにバッテリ（図示省略）が収容されたものである。ケースは上ケース１と下ケース２とから構成されていて、互いの周縁部同士を接合すことで上下一体化される。尚、図２及び図３は上ケース１を外した状態を示している。バッテリは、図示しないバッテリホルダに保持されて下ケース２内に収容されている。バッテリパックを電動工具に装着した際に、図示しないパック側端子が電動工具の工具側端子（図示省略）に電気的に接続されることでバッテリの電力が電動工具へ供給される。
【００１５】
バッテリパックは電動工具にスライド装着される構成であるため、電動工具とバッテリパックにはそれぞれ互いに係合するスライドレール１０１が着脱方向に沿って形成されている。電動工具のスライドレール１０１とバッテリパックのスライドレールは、互いに左右方向に凹凸係合しつつ着脱方向に沿って互いに摺動する。バッテリパックの左右一対のスライドレールは上ケース１に形成されている。バッテリパックの左右一対のスライドレールは互いに左右方向に対峙するように内側を向いて形成されており、従って、バッテリパックの左右一対のスライドレールは内側を向いて形成された雌型であって、電動工具の左右一対のスライドレール１０１は外側を向いて形成された雄型であり、バッテリパックの左右一対のスライドレールの内側に電動工具の左右一対のスライドレール１０１が挿入される。
【００１６】
バッテリパックは、ケースに回動可能に支持されて、バッテリパックの電動工具への装着状態を維持するための爪部材３を備えている。爪部材３を回動可能に支持するための支軸４は、ケースの後部に設けられている。尚、支軸４は、バッテリよりも上側に位置していて、爪部材３も同様にバッテリよりも上側に位置している。支軸４は上下方向に延びている。従って、爪部材３は上下方向の軸線回りに水平に回動可能である。爪部材３は左右一対のスライドレールに対応して左右一対設けられており、互いに左右対称関係で配置されている。爪部材３は例えば合成樹脂から射出成形により一体的に形成されている。
【００１７】
爪部材３は、支軸４に対して外側であって且つ前側の位置に係合爪部５を備え、支軸４に対して外側であって且つ後側の位置に操作部６を備えている。即ち、係合爪部５と操作部６は一体の構成である。係合爪部５は、内側に向けて突設された凸形状であり、図２に二点鎖線で示している電動工具の爪係合部１０２と係脱自在に係合する。バッテリパックが電動工具に装着されると、図２の二点鎖線のように電動工具の爪係合部１０２は係合爪部５の内側に位置し、その電動工具の爪係合部１０２に係合爪部５が外側から凹凸係合する。その係合状態から係合爪部５が矢印Ｐのように外側に向けて回動すると、電動工具の爪係合部１０２と係合爪部５との係合状態が解除され、電動工具の爪係合部１０２から係合爪部５が離脱する。尚、爪部材３は、付勢手段としての捻りバネ７によって一方向に付勢されている。捻りバネ７は、係合爪部５が係合側即ち内側に向けて回動する方向に爪部材３を付勢している。
【００１８】
爪部材３の操作部６は、係合爪部５を離脱側に移動させるためのものであって、内側の第一の位置と外側の第二の位置との間を移動可能（回動可能）であり、捻りバネ７の付勢力に抗して係合爪部５を離脱側即ち外側に向けて回動させるためのものである。操作部６は、バッテリパックの側面後部に位置していてバッテリパックの側面に露出した状態にあり、従って、側方から内側に向けて操作部６を押圧操作することができる。操作部６が内側に向けて押圧操作されると、図２において右側の爪部材３は支軸４を中心として時計回りに回動し、左側の爪部材３は支軸４を中心として反時計回りに回動する。何れにしても、操作部６が内側に向けて押圧操作されることで図２に示す第一の位置から内側の第二の位置に移動（回動）すると、係合爪部５は図２に矢印Ｐで示しているように外向きに回動して電動工具の爪係合部１０２から離脱する。即ち、係合爪部５は図２に示す係合位置から外側の係合解除位置へと移動（回動）する。このように係合爪部５が電動工具の爪係合部１０２から離脱すると、電動工具からバッテリパックを後側に向けてスライドさせて取り外すことができる。
【００１９】
そして、バッテリパックには、操作部６の第二の位置側への移動を阻止するためのロック機構が設けられている。ロック機構は、操作部６の第二の位置側への回動を阻止するロック状態と、操作部６の第二の位置側への回動を許容するロック解除状態とを切り替え可能に構成されている。ロック機構がロック状態になると、操作部６を内側に押圧操作することができず、バッテリパックを電動工具から取り外すことができない。ロック機構がロック解除状態になると、上述したように操作部６を内側に押圧操作することができ、バッテリパックを電動工具から取り外すことができる。
【００２０】
具体的には、ロック機構は、ロック状態とロック解除状態とに切り替え操作するためのロック切り替え操作部５０を備えている。ロック切り替え操作部５０は、ロック位置とロック解除位置との間を回動可能である。ロック切り替え操作部５０は円形（ダイヤル形状）であって、バッテリパックの後面に位置していてケースの外部にある。ロック切り替え操作部５０はバッテリパックの後面の左右方向中央部に位置している。ロック切り替え操作部５０は、前後方向の軸線回りに所定角度範囲内で回転可能に設けられていて、その所定角度範囲を往復回動する構成となっている。ロック切り替え操作部５０の外面には、ロック切り替え操作部５０の中心を通って径方向に直線状に延びる突条５０ａが形成されており、操作時にはその突条５０ａを摘み部として指先で摘むようにしてロック切り替え操作部５０を回転させることができる。図１〜図３に示している状態はロック解除状態であって、ロック解除状態においてロック切り替え操作部５０はロック解除位置にあってその突条５０ａは上下方向に沿った向きにある。図１〜図３に示しているロック解除位置から図３のように後側から見て反時計回りにロック切り替え操作部５０を９０度回転させると、突条５０ａが左右方向に沿った向きとなってロック切り替え操作部５０はロック位置となる。ロック切り替え操作部５０の回転操作可能な角度範囲は９０度であり、ロック切り替え操作部５０はロック位置とロック解除位置との間を９０度の範囲で回転操作可能である。図１〜図３に示しているロック解除位置からロック切り替え操作部５０を反時計回りに９０度回転させると、ロック機構はロック状態となる。
【００２１】
ロック機構は、操作部６の内側への移動を規制するための規制部材５１を左右一対備えている。規制部材５１は左右方向に延びる棒状であって、左右の操作部６に対応して左右一対設けられている。ロック切り替え操作部５０の前側には軸部５２が一体的に形成されていてその軸部５２の前端部には円板部５３が一体に設けられている。ロック切り替え操作部５０を回転操作すると、それに伴って円板部５３も回転する。その円板部５３にクランクピン５４を介して左右一対の規制部材５１の各々の内側の端部５１ａが回動可能に軸支されている。即ち、ロック切り替え操作部５０と規制部材５１はリンク機構を構成している。
【００２２】
ロック切り替え操作部５０と左右の規制部材５１の関係を図４に模式的に示している。図４（ａ）が図３等に示しているロック解除状態であり、図４（ｂ）がロック状態である。左右両規制部材５１の内側の端部５１ａ同士は円板部５３の中心を中心として１８０度対向した位置関係にあり、左右の規制部材５１は何れも左右方向に沿って水平状態を維持しつつ移動する。図４（ａ）のようにロック解除状態にあるとき、左側の規制部材５１は上側に位置し、右側の規制部材５１は下側に位置している。左側の規制部材５１の内側の端部５１ａは円板部５３の中心に対して垂直上方に位置し、右側の規制部材５１の内側の端部５１ａは、円板部５３の中心に対して垂直下方に位置している。左右両規制部材５１の外側の端部５１ｂは、左右両操作部６の内側に所定距離離間した状態にある。図２のように、上面側から見た平面視において、左右の規制部材５１は左右方向に延びる同一線上にあり、ロック解除状態において、それぞれ規制部材５１の外側の端部５１ｂは、操作部６の内側に所定間隔をおいて対峙した状態にある。
【００２３】
図４（ａ）のロック解除状態からロック切り替え操作部５０を左側（反時計回り）に９０度回転させると、ロック切り替え操作部５０の回転と共に左右の規制部材５１がそれぞれ下降、上昇しつつ外側に移動して操作部６に接近していき、やがてそれぞれの外側の端部５１ｂが操作部６に若干の隙間を介して接近した状態あるいは当接した状態となる。従って、操作部６を内側に押しても、規制部材５１が内側から突っ張りとなって操作部６の内側への移動を規制する。操作部６が内側に移動できないことから爪部材３も回動できず、係合爪部５は離脱側には移動できない。逆に、ロック切り替え操作部５０を図４（ｂ）のロック位置から図４（ａ）のロック解除位置に戻すと、規制部材５１は操作部６から内側に所定距離離れた状態となり、従って、操作部６を内側に押して移動させることができる。尚、規制部材５１は、図示しない支持部によって支持されていて水平状態を維持しつつ上下及び左右方向に移動する。
【００２４】
以上のように構成されたバッテリパックにあっては、ロック切り替え操作部５０を回転操作することで容易にロック状態とロック解除状態を切り替えることができる。そして、ロック状態とすることで操作部６を内側に押圧操作できなくなって係合爪部５は離脱側に移動できなくなり、バッテリパックを電動工具から取り外すことができなくなる。従って、操作部６に手が当たったり他の物が当たったりしても操作部６は移動せず、操作部６が意図せずに内側に移動してバッテリパックが外れるということがない。そのため、安心して作業を行うことができる。しかも、操作部６がバッテリパックの側面にある一方、ロック切り替え操作部５０はバッテリパックの後面に位置しているので、バッテリパックを左右に把持した際に、ロック切り替え操作部５０には手が当たりにくく、ロック切り替え操作部５０の誤操作が防止される。
【００２５】
＜第二の実施形態＞
次に、本発明の第二の実施形態にかかるバッテリパックについて図５〜図８を参酌しつつ説明する。尚、上記実施形態と同様の構成についてはその説明を省略する。尚、バッテリ９は上ケース１と下ケース２とからなるケースに収容されている。また、図６及び図７において符号２２は、バッテリ９の電力を電動工具に供給するためのパック側端子である。尚、第一の実施形態とは異なり、バッテリパックの左右一対のスライドレールは外側を向いた雄型であって、内側を向いた雌型である電動工具の左右一対のスライドレール（図示省略）の内側に挿入される。第二の実施形態にかかる爪部材３は、上下に移動可能に構成されていて図示しない付勢手段としてのバネによって上側に付勢されている。爪部材３の前端部には上方に向けて係合爪部５が突設されている。上ケース１の上面の後部には開口部８が形成されていて、その開口部８から係合爪部５が上方に突出している。爪部材３が上方に移動して開口部８から係合爪部５が上方に突出した状態において図示しない電動工具の爪係合部と係合爪部５が係合することができ、爪部材３が下方に移動して開口部８から係合爪部５がケース内に没すると電動工具の爪係合部から係合爪部５が離脱してバッテリパックを電動工具から取り外すことができる。係合爪部５が開口部８から上側に突出した位置が係合位置であり、開口部８から下側に没入した位置が離脱位置（係合解除位置）である。
【００２６】
爪部材３の後部に操作部６が一体的に形成されている。操作部６は、バッテリパックの後面に位置していて露出した状態にあり、上下に移動操作可能である。従って、操作部６をバネの付勢力に抗して下方に移動させると爪部材３が全体として下降して係合爪部５も下降し、操作部６が上方に移動すると爪部材３及び係合爪部５も上昇する。図６は爪部材３が上昇した状態であり、図７は爪部材３が下降した状態であり、このように爪部材３は上側の係合位置と下側の離脱位置（係合解除位置）との間を往復移動可能であり、上側の係合位置が操作部６の第一の位置であり、下側の離脱位置が操作部６の第二の位置である。
【００２７】
バッテリパックの後面の下部に、矩形のロック切り替え操作部５０が設けられている。該ロック切り替え操作部５０は、左側の所定位置から右側の所定位置まで左右にスライド可能に構成されている。左側の位置がロック位置であり、右側の位置がロック解除位置である。図５のようにロック切り替え操作部５０を右側にスライドさせてロック解除位置にするとロック機構はロック解除状態となり、それとは反対側の左側にロック切り替え操作部５０をスライドさせてロック位置にするとロック機構はロック状態となる。詳細には、図８に模式図を示しているように、爪部材３の下端部には切欠部１０が形成されている。ロック切り替え操作部５０の前側にはストッパー部１１が一体的に設けられている。尚、ストッパー部１１はケースの内部に位置する。そして、図８（ａ）のようにストッパー部１１が切欠部１０の下方に位置するロック解除状態では、操作部６を下方の第二の位置に操作することができて、図８（ｂ）のように切欠部１０にストッパー部１１が入り込むことができ、従って、爪部材３を下方に移動させることができる。一方、図８（ｃ）のようにロック切り替え操作部５０を左側のロック位置にスライドさせてロック状態に切り替えると、ストッパー部１１が切欠部１０よりも左側に位置することとなる。従って、操作部６を下降させようしても、爪部材３の下端部がストッパー部１１に当接してそれ以上下降できない。即ち、係合爪部５をケース内に没入させることができず、従って、バッテリパックを取り外すことができない。尚、図６及び図７は、ストッパー部１１が切欠部１０の下方に位置するロック解除状態を示している。かかるバッテリパックにおいても、ロック切り替え操作部５０を左右に切り替え操作するだけの簡単な操作でロック状態とロック解除状態を切り替えることができる。
【００２８】
＜第三の実施形態＞
次に、本発明の第三の実施形態にかかるバッテリパックについて図９〜図１２を参酌しつつ説明する。尚、上記実施形態と同様の構成についてはその説明を省略する。この第三の実施形態にかかるバッテリパックは、上記第二の実施形態とロック機構が異なるものである。即ち、ロック切り替え操作部５０が上記第二の実施形態では左右にスライドする構成であったが、この第三の実施形態では上記第一の実施形態と同様のダイヤル式であり、ロック位置とロック解除位置との間の所定角度範囲を回動する構成である。図９及び図１０はロック状態を示しており、そのロック状態からロック切り替え操作部５０を反時計回りに９０度回転させるとロック機構はロック解除状態に切り替わる。図１１（ａ）がロック解除状態であって、操作部６を上側の第一の位置から下側の第二の位置まで下降操作して爪部材３を下降させることにより、図１１（ｂ）のように係合爪部５をケース内に没入できる。
【００２９】
図１２にロック機構の動作を模式図で示している。図１２（ａ）がロック状態であり、図１２（ｂ）がロック解除状態である。ロック切り替え操作部５０の前側には、ロック切り替え操作部５０の回転中心である軸部５２からストッパー部１１が径方向に延びている。図１２（ａ）のようにストッパー部１１が垂直上方を向いた起立姿勢になると、ストッパー部１１の先端部が爪部材３の下端部に当接するので、爪部材３は下降できない。ストッパー部１１はロック切り替え操作部５０の径方向に長い形状であるため、図１２（ｂ）のようにストッパー部１１が左側に９０度回転して左側に水平に寝た状態になると、ストッパー部１１の側縁部は爪部材３の下端部から下方に所定距離離間した状態になり、図１２（ｃ）のように爪部材３をストッパー部１１の側縁部に当接するまで下降させることができる。図１０は図１２（ａ）に対応し、図１１（ａ）は図１２（ｂ）に対応し、図１１（ｂ）は図１２（ｃ）に対応している。このようにストッパー部１１が起立姿勢から水平横向きに寝た姿勢まで９０度の範囲で回動し、起立姿勢ではロック状態となり、水平に寝た姿勢ではロック解除状態となる。尚、この実施形態では、爪部材３の下端部に切欠部１０を設ける必要がない。
【００３０】
＜第四の実施形態＞
次に、本発明の第四の実施形態にかかるバッテリパックについて図１３〜図１６を参酌しつつ説明する。尚、上記実施形態と同様の構成についてはその説明を省略する。この第四の実施形態にかかるバッテリパックは、爪部材３とは別体構成の操作部材２０を備えたものである。即ち、バッテリパックは、係合爪部５を有する爪部材３と、該爪部材３を移動させるための操作部材２０と、爪部材３に所定方向の付勢力を付与するための付勢手段としてのコイルバネ２１を備えている。尚、図１６においてコイルバネは図示を省略している。また、図１３において符号２３は、バッテリパックの左右一対のスライドレールであり、このように外側を向いて形成されている。
【００３１】
爪部材３は、ケースに内蔵されると共にケースに対して左右方向の軸線回りに上下に揺動可能である。爪部材３は、揺動動作の中心軸となる支軸部３０と、該支軸部３０から前側に延びる前片部３１と、支軸部３０から後側に延びる後片部３２とを備えている。尚、前片部３１と後片部３２は前後に１８０度対向しているのではなく、９０度以上１８０度未満の所定角度で互いに屈曲した関係にある。支軸部３０と前片部３１と後片部３２は一つの部材として一体的に形成されており、例えば合成樹脂から射出成形により一体的に形成される。支軸部３０は、バッテリホルダ２４に突設された支柱２６に回転可能に支持されていて、従って、爪部材３は、左右方向の軸線回りに上下に回動する。
【００３２】
前片部３１の先端部の上面に係合爪部５が形成されている。爪部材３が支軸部３０を中心として上下に揺動することに伴って、係合爪部５は支軸部３０を支点として上下に揺動し、ケースの開口部８から上方に突出した係合位置と、ケース内に没入した離脱位置（係合解除位置）との間を上下に移動できる。係合爪部５が開口部８から上方に突出すると図示しない電動工具の爪係合部に係合可能な状態となり、係合爪部５が開口部８からケース内に没入すると電動工具の爪係合部から離脱した状態となる。後片部３２とケースとの間にコイルバネ２１が介装されていて、コイルバネ２１が後片部３２を前側且つ下側に押圧付勢し、その付勢力によって爪部材３は係合爪部５が上昇する方向に付勢されている。
【００３３】
操作部材２０は、ケースに対して前後方向にスライド可能に構成されていて、前側の第一の位置と後側の第二の位置との間を直線的に移動できる。操作部材２０は、ケースにスライド可能に支持されて前側所定位置から後側所定位置までの区間を直線的に前後往復動可能である。図１３及び図１４は、操作部材２０が前側所定位置に位置する通常状態である。図１５及び図１６のように操作部材２０が後側所定位置（第二の位置）に位置すると、係合爪部５が下降してバッテリパックを電動工具から取り外すことができる。
【００３４】
操作部材２０は、左右一対の操作部６と、左右両操作部６同士を左右方向に連結一体化する連結部２５とを備えている。操作部材２０は、合成樹脂から射出成形により形成され、一つの部材からなり、左右両操作部６と連結部２５は一体的に形成されたものである。左右両操作部６は、それぞれバッテリパックの側面に位置していて、互いに対称形状であって且つ、前後方向の同じ位置に左右方向に対向するように配置されている。左右の操作部６がケースの外側に露出している一方、連結部２５はケースの内側に収容された状態にある。操作部６は、バッテリパックの側面の後側領域を構成している。即ち、バッテリパックの側面は前後二つの領域に分割されていて、ケースがバッテリパックの側面の前側領域を構成し、操作部６がバッテリパックの側面の後側領域を構成している。操作部６は、図１３に示す状態から後側にスライドして図１５のような状態となる。尚、バッテリパックの側面の後側領域はバッテリパックの側面の前側領域よりも小さい。
【００３５】
左右の操作部６の内側にはバッテリ２６が位置しているので、連結部２５は、内部のバッテリ２６の上側を通って左右の操作部６同士を左右方向に連結している。尚、支柱２６は連結部２５を上下に貫通している。コイルバネ２１が爪部材３の後片部３２を付勢していることから、操作部材２０（連結部２５）は後片部３２を介してコイルバネ２１によって間接的に前側に付勢されている。
【００３６】
ロック機構は上記第二の実施形態と同様にロック切り替え操作部５０が左右にスライドする構成である。ロック切り替え操作部５０は左側のロック位置から右側のロック解除位置までスライド可能である。ロック切り替え操作部５０が図１３のように右側のロック解除位置になるとロック機構はロック解除状態となる。図１４はロック解除状態の断面図であり、ロック切り替え操作部５０の前側に一体的に形成されたストッパー部１１は爪部材３の後片部３２に対してその右側に位置ずれした状態にあって後片部３２と対向関係にはなく互いに干渉しない位置関係にある。尚、後片部３２に切欠部を設けてストッパー部１１と干渉しないようにしてもよい。ロック解除状態では、図１５のように操作部６を後側にスライドさせることができる。操作部６が後側にスライドすると、図１６のように連結部２５もそれに伴って操作部６と一体となって後側にスライドして後片部３２をコイルバネ２１の付勢力に抗して上側に回動させ、係合爪部５が下降する。一方、図示しないが、ロック切り替え操作部５０を左側にスライドさせてロック位置とするとロック機構はロック状態となり、ストッパー部１１が後片部３２の後側且つ上側に対向して位置し、後片部３２の上側への回動がストッパー部１１によって規制される。後片部３２が上側に回動できないため、連結部２５は後片部３２に当たって後側へ移動できず、操作部６を後側にスライド操作することができない。従って、係合爪部５は上方に突出した係合位置を維持し、バッテリパックの電動工具からの脱落が防止される。
【００３７】
＜第五の実施形態＞
次に、本発明の第五の実施形態にかかるバッテリパックについて図１７及び図１８を参酌しつつ説明する。尚、上記実施形態と同様の構成についてはその説明を省略する。この第五の実施形態にかかるバッテリパックは、上記第四の実施形態とロック機構が異なるものであり、上記第四の実施形態ではロック切り替え操作部５０が左右にスライドする構成であったが、この第五の実施形態では上記第三の実施形態と同様のダイヤル式であり、ロック位置とロック解除位置との間の所定角度範囲を回動する構成である。図１７及び図１８の状態はロック切り替え操作部５０がロック解除位置にあってロック機構はロック解除状態にあり、径方向に延びるストッパー部１１は下向きである。このロック解除位置からロック切り替え操作部５０を後側から見て時計回りに９０度回転させてロック位置にすると、ストッパー部１１が左側を向いた状態となって後片部３２の後方且つ上方に対向して位置し、後片部３２の上側への回動がストッパー部１１により規制される。即ち、ロック機構はロック状態となり、係合爪部５は上方に突出した係合位置に維持される。
【００３８】
＜その他の実施形態＞
上記第四及び第五の実施形態では爪部材３にロック機構が作用して爪部材３の回動を阻止することで間接的に操作部材２０の後側の第二の位置への移動を阻止していたが、爪部材３ではなく操作部材２０の移動を直接阻止するようにしてもよい。即ち、操作部材２０の後側への移動自体を規制するようにしてもよい。例えば、連結部２５の後側への移動をストッパー部１１等で規制することで操作部材２０の後側への移動を規制できる。この場合、操作部材２０が後側に移動できない状態であっても爪部材３はコイルバネ２１の付勢力に抗して回動できる。そのため、ロック機構がロック状態であってもバッテリパックを電動工具にスライド装着できる。このように、操作部６が爪部材３とは別部材の構成の場合には、ロック機構は、爪部材３に作用する結果として操作部６の移動を許容、阻止する構成であってもよいし、操作部６を有する操作部材２０に作用してその移動を許容、阻止する構成であってもよい。
【００３９】
また、ロック機構は、爪部材３を付勢しているコイルバネ２１を収縮しないように規制する構成であってもよい。
【符号の説明】
【００４０】
１    上ケース
２    下ケース
３    爪部材
４    支軸
５    係合爪部
６    操作部
７    捻りバネ（付勢手段）
８    開口部
９    バッテリ
１０    切欠部
１１    ストッパー部
２０    操作部材
２１    コイルバネ（付勢手段）
２２    パック側端子
２３    スライドレール
２４    バッテリホルダ
２５    連結部
２６    支柱
３０    支軸部
３１    前片部
３２    後片部
５０    ロック切り替え操作部
５０ａ  突条
５１    規制部材
５１ａ  内側の端部
５１ｂ  外側の端部
５２    軸部
５３    円板部
５４    クランクピン
１０１  スライドレール
１０２  爪係合部
【図１】
2017091797.tif 000003
【図２】
2017091797.tif 000004
【図３】
2017091797.tif 000005
【図４】
2017091797.tif 000006
【図５】
2017091797.tif 000007
【図６】
2017091797.tif 000008
【図７】
2017091797.tif 000009
【図８】
2017091797.tif 000010
【図９】
2017091797.tif 000011
【図１０】
2017091797.tif 000012
【図１１】
2017091797.tif 000013
【図１２】
2017091797.tif 000014
【図１３】
2017091797.tif 000015
【図１４】
2017091797.tif 000016
【図１５】
2017091797.tif 000017
【図１６】
2017091797.tif 000018
【図１７】
2017091797.tif 000019
【図１８】
2017091797.tif 000020